(57)【要約】      （修正有）【課題】屋外、屋内での使用や様々な方式で使用できる多機能ステレオライト及び多機能ステレオガーデンスパイクライトを提供する。【解決手段】多機能ステレオライトは、ライト本体、吊下げ装置２０、照明装置３０、ステレオ装置４０及びコントローラを備える。吊下げ装置は、ライト本体の一側端部に設けられる。照明装置、ステレオ装置及びコントローラは、ライト本体内にそれぞれ配設される。照明装置及びステレオ装置は、コントローラにそれぞれ接続され、照明装置及びステレオ装置の駆動を制御する。ライト本体は、ラッパ状を呈するとともに、ライトカバー１１、端蓋１２、接続ベース１３、ハウジング１４、インナーベース１５及び底蓋アセンブリ１６を含む。ライトカバー及びハウジングは、接続ベースの両端にそれぞれ取り付けられる。インナーベースは、ハウジング内に取り付けられる。【選択図】図３
0003224843.tif 000002
【実用新案登録請求の範囲】
【請求項１】
ライト本体、吊下げ装置、照明装置、ステレオ装置及びコントローラを備えた多機能ステレオライトであって、
前記吊下げ装置は、前記ライト本体の一側端部に設けられ、
前記照明装置、前記ステレオ装置及び前記コントローラは、前記ライト本体内にそれぞれ配設され、
前記照明装置及び前記ステレオ装置は、前記コントローラにそれぞれ接続され、前記照明装置及び前記ステレオ装置の駆動を制御し、
前記ライト本体は、ラッパ状を呈するとともに、ライトカバー、端蓋、接続ベース、ハウジング、インナーベース及び底蓋アセンブリを含み、
前記ライトカバー及び前記ハウジングは、前記接続ベースの両端にそれぞれ取り付けられ、
前記インナーベースは、前記ハウジング内に取り付けられ、前記底蓋アセンブリは、前記ハウジングの端面上を覆い、前記インナーベースとともに囲んで収容空間が形成され、前記コントローラは、前記収容空間内に取り付けられ、
前記端蓋は、前記ライトカバーの他方の端面上に取り付けられ、
前記吊下げ装置は、前記端蓋上に着脱可能に取り付けられ、
前記接続ベース中には、貫通孔が形成され、
前記ステレオ装置は、前記ライトカバーの一側の前記接続ベース上に取り付けられ、前記ステレオ装置と前記インナーベースの頂面と前記ハウジングとにより囲んで出音空間が形成され、
前記ハウジング上には、前記出音空間に連通する出音孔が形成され、
前記ステレオ装置が発する音声が前記出音空間を通って前記出音孔から発することを特徴とする多機能ステレオライト。
【請求項２】
前記吊下げ装置は、Ｃ字状を呈し、
前記端蓋の外表面上には、弧形状溝が形成され、
前記吊下げ装置は、前記弧形状溝内に可動可能に設けられ、前記端蓋に沿って旋回可能であることを特徴とする請求項１に記載の多機能ステレオライト。
【請求項３】
前記照明装置の底部には、位置拘束ベースが設けられ、
前記位置拘束ベースは、前記接続ベース上に取り付けられ、
前記ステレオ装置は、前記位置拘束ベースと前記接続ベースとの間に配設されることを特徴とする請求項１に記載の多機能ステレオライト。
【請求項４】
前記インナーベースの前記底蓋アセンブリから離れた一側には、導音面が設けられ、
前記導音面は、周囲から中心に向かって次第に盛り上がるように設けられ、中心部には尖端が形成されることを特徴とする請求項１に記載の多機能ステレオライト。
【請求項５】
前記導音面の外側の前記インナーベースの端面上には、複数のガイドピンが配設され、
前記ガイドピンは、前記接続ベースに係合され、
前記接続ベースと前記導音面と前記ハウジングとにより囲まれて音声出力空間が形成され、
前記出音孔は、前記音声出力空間に連通することを特徴とする請求項４に記載の多機能ステレオライト。
【請求項６】
前記コントローラ上には、無線装置が設けられ、
前記無線装置は、移動端末装置と通信し、
前記移動端末装置は、調整装置を有し、
前記調整装置は、前記無線装置と信号接続されることを特徴とする請求項１に記載の多機能ステレオライト。
【請求項７】
ガーデンスパイクと、位置決めばねと、前記ガーデンスパイクに取り付けられたステレオライトと、を備えた多機能ステレオガーデンスパイクライトであって、
前記ステレオライトは、請求項１〜６の何れか１項に記載の多機能ステレオライトであり、
前記ガーデンスパイクの頂部には、装着部が設けられ、
前記位置決めばねは、前記装着部内に取り付けられるとともに、前記装着部の外部まで延び、
前記ステレオライトは、前記位置決めばね内に取り付けられ、底端面が前記装着部の頂面に接触されることを特徴とする多機能ステレオガーデンスパイクライト。
【請求項８】
前記位置決めばねは、下から上方に管径が徐々に大きくなるラッパ状を呈し、その全体の管径は、前記ステレオライトの外径寸法に対応することを特徴とする請求項７に記載の多機能ステレオガーデンスパイクライト。
【請求項９】
前記装着部の頂面の中央部には、充電装置が設けられ、
前記充電装置と前記装着部の内壁との間には、装着溝が形成され、
前記位置決めばねは、小管径の一端が前記装着溝内に取り付けられ、大管径の一側が前記装着部から上方に延びることを特徴とする請求項８に記載の多機能ステレオガーデンスパイクライト。
【請求項１０】
前記ステレオライトの端蓋の一側の小さめの端部は、下向きに前記位置決めばね内に取り付けられるとともに、前記端蓋の底面と前記装着部の充電装置の頂面とが当接され、
前記充電装置は、充電プラグ又は自動充電方式により充電することを特徴とする請求項８に記載の多機能ステレオガーデンスパイクライト。
【考案の詳細な説明】
【技術分野】
【０００１】
本考案は、照明装置、特に、ライトに関するものであり、さらに詳しくは、多機能ステレオライト及び多機能ステレオガーデンスパイクライトに関するものである。
【背景技術】
【０００２】
ライトに関する技術の成熟度が高まるにつれ、人々のニーズを満たす様々な種類のライトが市販されている。しかし、従来のライトは、吊下げて使用するか、または、物品に取り付けて固定するか、あるいは、平らな場所などに置いて使用するなど単純な使用方式しかなく、ライトの利用方法が限定されていることから、実用性に乏しかった。また、従来のライトは、単一の機能しか無く、種々の好奇心を満たすことのできる機能に乏しく、ストレス解消効果が無く、融通性も低かったため、ライトに対する人々のニーズを満たすことは容易でなかった。
【考案の概要】
【考案が解決しようとする課題】
【０００３】
従って、本考案の主な課題は、単一の機能しか無く、屋外又は屋内で使用したり、移動方式、固定方式など様々な方式で使用することができなかった従来技術の問題を改善する多機能ステレオライト及び多機能ステレオガーデンスパイクライトを提供することにある。
【課題を解決するための手段】
【０００４】
そこで、本考案者は、前記の本考案の課題を解決するため鋭意検討した結果、後述のように、照明機能に加えて、音声発声機能を組み合せることにより、前記課題を解決できることに着目し、かかる知見に基いて、本考案の完成に想到するに至った。
【０００５】
かくして、本考案の要旨は、次の（１）〜（１０）に記載の通りのものである。
（１）ライト本体、吊下げ装置、照明装置、ステレオ装置及びコントローラを備えた多機能ステレオライトであって、
前記吊下げ装置は、前記ライト本体の一側端部に設けられ、前記照明装置、前記ステレオ装置及び前記コントローラは、前記ライト本体内にそれぞれ配設され、前記照明装置及び前記ステレオ装置は、前記コントローラにそれぞれ接続され、前記照明装置及び前記ステレオ装置の駆動を制御し、
前記ライト本体は、ラッパ状を呈するとともに、ライトカバー、端蓋、接続ベース、ハウジング、インナーベース及び底蓋アセンブリを含み、前記ライトカバー及び前記ハウジングは、前記接続ベースの両端にそれぞれ取り付けられ、前記インナーベースは、前記ハウジング内に取り付けられ、前記底蓋アセンブリは、前記ハウジングの端面上を覆い、前記インナーベースとともに囲んで収容空間が形成され、
前記コントローラは、前記収容空間内に取り付けられ、前記端蓋は、前記ライトカバーの他方の端面上に取り付けられ、前記吊下げ装置は、前記端蓋上に着脱可能に取り付けられ、前記接続ベース中には、貫通孔が形成され、前記ステレオ装置は、前記ライトカバーの一側の前記接続ベース上に取り付けられ、前記ステレオ装置と前記インナーベースの頂面と前記ハウジングとにより囲んで出音空間が形成され、前記ハウジング上には、前記出音空間に連通する出音孔が形成され、前記ステレオ装置が発する音声が前記出音空間を通って前記出音孔から発することを特徴とする多機能ステレオライト。
【０００６】
（２）前記吊下げ装置は、Ｃ字状を呈し、前記端蓋の外表面上には、弧形状溝が形成され、前記吊下げ装置は、前記弧形状溝内に可動可能に設けられ、前記端蓋に沿って旋回可能であることを特徴とする前記（１）に記載の多機能ステレオライト。
【０００７】
（３）前記照明装置の底部には、位置拘束ベースが設けられ、前記位置拘束ベースは、前記接続ベース上に取り付けられ、前記ステレオ装置は、前記位置拘束ベースと前記接続ベースとの間に配設されることを特徴とする前記（１）に記載の多機能ステレオライト。
【０００８】
（４）前記インナーベースの前記底蓋アセンブリから離れた一側には、導音面が設けられ、前記導音面は、周囲から中心に向かって次第に盛り上がるように設けられ、中心部には尖端が形成されることを特徴とする前記（１）に記載の多機能ステレオライト。
【０００９】
（５）前記導音面の外側の前記インナーベースの端面上には、複数のガイドピンが配設され、前記ガイドピンは、前記接続ベースに係合され、前記接続ベースと前記導音面と前記ハウジングとにより囲まれて音声出力空間が形成され、前記出音孔は、前記音声出力空間に連通することを特徴とする前記（４）に記載の多機能ステレオライト。
【００１０】
（６）前記コントローラ上には、無線装置が設けられ、前記無線装置は、移動端末装置と通信し、前記移動端末装置は、調整装置を有し、前記調整装置は、前記無線装置と信号接続されることを特徴とする前記（１）に記載の多機能ステレオライト。
【００１１】
（７）ガーデンスパイクと、位置決めばねと、前記ガーデンスパイクに取り付けられたステレオライトと、を備えた多機能ステレオガーデンスパイクライトであって、前記ステレオライトは、前記（１）〜（６）の何れか１項に記載の多機能ステレオライトであり、  前記ガーデンスパイクの頂部には、装着部が設けられ、前記位置決めばねは、前記装着部内に取り付けられるとともに、前記装着部の外部まで延び、前記ステレオライトは、前記位置決めばね内に取り付けられ、底端面が前記装着部の頂面に接触されることを特徴とする多機能ステレオガーデンスパイクライト。
【００１２】
（８）前記位置決めばねは、下から上方に管径が徐々に大きくなるラッパ状を呈し、その全体の管径は、前記ステレオライトの外径寸法に対応することを特徴とする前記（７）に記載の多機能ステレオガーデンスパイクライト。
【００１３】
（９）前記装着部の頂面の中央部には、充電装置が設けられ、前記充電装置と前記装着部の内壁との間には、装着溝が形成され、前記位置決めばねは、小管径の一端が前記装着溝内に取り付けられ、大管径の一側が前記装着部から上方に延びることを特徴とする前記（８）に記載の多機能ステレオガーデンスパイクライト。
【００１４】
（１０）前記ステレオライトの端蓋の一側の小さめの端部は、下向きに前記位置決めばね内に取り付けられるとともに、前記端蓋の底面と前記装着部の充電装置の頂面とが当接され、前記充電装置は、充電プラグ又は自動充電方式により充電することを特徴とする前記（８）に記載の多機能ステレオガーデンスパイクライト。
【考案の効果】
【００１５】
本考案の多機能ステレオライト及び多機能ステレオガーデンスパイクライトは、音声と光の機能を組み合わせることにより、生活の中に種々の好奇心の充足とストレス解消効果を取り入れ、ステレオライトを屋外、室内など様々な場所で利用でき、設置、固定、手提げ、吊下げなど様々な方式で使用することもでき、ステレオライト構造が新規性を有し、多機能であり、実用的で普及させる価値が高い。
【図面の簡単な説明】
【００１６】
【図１】本考案の一実施形態に係るステレオライトを示す正面図である。
【図２】図１のステレオライトを示す断面図である。
【図３】図１のステレオライトを示す分解斜視図である。
【図４】本考案の一実施形態に係るステレオガーデンスパイクライトを示す斜視図である。
【図５】図４のステレオライト及びガーデンスパイクを示す分解斜視図である。
【図６】図４のステレオライト及び装着部を示す断面図である。
【考案を実施するための形態】
【００１７】
以下、図面を用いて本考案を具体的に説明する。もっとも本考案は、かかる図面等により限定されるものではない。
図１〜図３を参照する。図１〜図３に示すように、本考案の一実施形態に係る多機能ステレオライト１００は、少なくともライト本体１０、吊下げ装置２０、照明装置３０、ステレオ装置４０及び電池５０から構成されてなる。上述した吊下げ装置２０は、ライト本体１０の一側端部に設けられる。上述した照明装置３０、ステレオ装置４０及び電池５０は、ライト本体１０内にそれぞれ配設される。照明装置３０及びステレオ装置４０は、電池５０にそれぞれ電気的に接続される。上述した電池５０は、照明装置３０及びステレオ装置４０に電気エネルギーを供給する。
【００１８】
上述したライト本体１０は、ラッパ状を呈する。ライト本体１０は、ライトカバー１１、端蓋１２、接続ベース１３、ハウジング１４、インナーベース１５及び底蓋アセンブリ１６を含む。上述したライトカバー１１及びハウジング１４は、接続ベース１３の両端にそれぞれ取り付けられる。上述したインナーベース１５は、ハウジング１４内に取り付けられる。上述した底蓋アセンブリ１６は、ハウジング１４の端面上を覆い、インナーベース１５とともに囲んで収容空間が形成される。上述した電池５０は、収容空間内に取り付けられる。上述した端蓋は、ライトカバー１１の他方の端面上に取り付けられる。上述した吊下げ装置２０は、端蓋１２上に配設される。上述した吊下げ装置２０は、Ｃ字状を呈し、両端には中央部に向かって突起部が設けられている。上述した端蓋１２の外表面上には、弧形状溝が形成される。弧形状溝の両端には、装着孔がそれぞれ形成される。上述した吊下げ装置２０の２つの突起部は、対応した装着孔内にそれぞれ係合される。吊下げ装置２０を使用する必要がないときは、旋回させて上述した弧形溝内に収容することができる。
【００１９】
上述した接続ベース１３の中央部には、貫通孔（図示せず）が形成される。上述したステレオ装置４０は、ライトカバー１１の一側の接続ベース１３上に取り付けられ、貫通孔に向けてスピーカーが設置される。上述した照明装置３０は、締結具により接続ベース１３上に取り付けられ、ステレオ装置４０の上方に位置する。照明装置３０の底部には、位置拘束ベース３１が設けられる。上述した位置拘束ベース３１は、照明装置３０の取付けに便利なだけでなく、ステレオ装置４０を位置拘束することもできる。
【００２０】
上述したハウジング１４は、接続ベース１３の端面上に係合される。上述したハウジング１４上には、内外貫通する複数の出音孔１４１が形成される。上述したインナーベース１５の底蓋アセンブリ１６から離れた一側には、導音面１５１が設けられる。導音面１５１は、周囲から中心に向かって次第に盛り上がるように設けられ、中心部には尖端が形成される。上述したステレオ装置４０のスピーカーの真下には、上述した導音面１５１が位置する。導音面１５１は、スピーカーが発した音声を拡散させる。上述した導音面１５１の外側のインナーベース１５の端面上には、複数のガイドピン１５２が配設される。上述したガイドピン１５２は、接続ベース１３に係合され、インナーベース１５と接続ベース１３とを連結固定させる。上述した接続ベース１３と、導音面１５１及びハウジング１４とにより囲まれて音声出力空間が形成される。上述した出音孔１４１は、音声出力空間に連通する。
【００２１】
上述した電池５０上には、無線装置が配設される。上述した無線装置は、携帯電話のアプリ（ＡＰＰ）と通信することができ、１０〜２０メートル内で無間隔接続することができる。ユーザは携帯電話のアプリを利用して照明装置のオン・オフ、明るさ、色温度を制御したり、Ｂｌｕｅｔｏｏｔｈ（登録商標）を介して携帯電話のアプリ中のオーディオ信号をステレオ装置４０内へ伝送し、オーディオ信号の再生及び音量の大きさを制御したりすることもできる。実際に使用する際、ユーザは上述した多機能ステレオライトを机上又は平らな場所に直接置くか、吊下げたり手で提げたりするなど様々な使用方式を有する。
【００２２】
図４〜図６を参照する。図４〜図６に示すように、上述したステレオライト１００は、位置決めばね６０を介してガーデンスパイク２００上に取り付けられる。上述した位置決めばね６０は、下から上方に管径が徐々に大きくなるラッパ状を呈し、その全体の管径と多機能ステレオライト１００の外径寸法は対応する。上述したガーデンスパイク２００の頂部には、装着部２１１が設けられる。上述した装着部２１１の頂面の中央部には、充電装置２１２が設けられる。充電装置２１２と装着部２１１の内壁との間には、装着溝２１３が形成される。実際に取り付ける際、上述した位置決めばね６０は、小管径の一端が上述した装着溝２１３内に取り付けられ、大管径の一側が装着部２１１から上方に延びる。上述したステレオライト１００の端蓋１２の一側の小さめの端部は、下向きに位置決めばね６０内に取り付けられるとともに、その端蓋１２の底面と装着部２１１の充電装置の頂面とが当接される。上述した充電装置は、充電プラグ又は自動充電方式により多機能ステレオライト１００を充電する。
【００２３】
また、上述した照明装置３０及びステレオ装置４０は、単独で取り外して使用することができるが、１台で使用することもできるし、複数台を組み合わせて使用することもできる。実際に使用する際、ステレオは１台又は複数台を組み合わせて使用することができるが、組み合わせて使用する場合、複数台のステレオ同士を接続してステレオシステムを構成し、１台のステレオをマスターとして使用してもよいし、スレーブとして使用してもよい。スレーブモードの場合、２種類の機能を有し、マスターと通信したスレーブは、マスターのオーディオ信号情報を受信し、ステレオライトがオーディオ信号を「Ｂｌｕｅｔｏｏｔｈ（登録商標）」／２．４Ｇ／５Ｇ／ＷｉＦｉ／ＦＭの方式で周囲に送信し、スレーブがマスターの信号を受信した後、復号化してオーディオ信号を生成し、スピーカーが音声を発する。
【００２４】
本考案の多機能ステレオライト及び多機能ステレオガーデンスパイクライトは、音声と光の機能を組み合わせることにより、生活の中に面白みとストレス解消効果を取り入れ、ステレオライトを屋外、室内など様々な場所で利用できる上、設置、固定、手提げ、吊下げなど様々な方式で使用することもでき、ステレオライト構造がユニークで、多機能であり、実用的で普及させる価値が高い。
【００２５】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２６】
１０  ライト本体
１１  ライトカバー
１２  端蓋
１３  接続ベース
１４  ハウジング
１５  インナーベース
１６  底蓋アセンブリ
２０  吊下げ装置
３０  照明装置
３１  位置拘束ベース
４０  ステレオ装置
５０  電池
６０  位置決めばね
１００  ステレオライト
１４１  出音孔
１５１  導音面
１５２  ガイドピン
２００  ガーデンスパイク
２１１  装着部
２１２  充電装置
２１３  装着溝
【図１】
0003224843.tif 000003
【図２】
0003224843.tif 000004
【図３】
0003224843.tif 000005
【図４】
0003224843.tif 000006
【図５】
0003224843.tif 000007
【図６】
0003224843.tif 000008